(57)【特許請求の範囲】
【請求項１】
回転リールと、その回転リールを回転させるモータと、そのモータを取り付けるために、前記回転リールの回転平面と平行に配置されたモータ取付板と、前記回転リールの回転状態を検出するための回転センサーと、その回転センサーを取り付けるためのセンサー取付部とを備えた遊技機の回転リール装置であって、
前記センサー取付部は、前記回転リールの回転平面と交差する方向に前記モータ取付板から切り起こされた舌片から構成され、
前記舌片は、前記モータ取付板から、前記回転リールの回転平面と平行で且つその回転中心を通る中心線に沿って、前記中心線を跨ぎ且つ当該中心線に沿った片持ち梁状に切り出され、
前記舌片は、その固定端において、前記中心線と直交する折り曲げ線に沿って折り曲げられるように前記モータ取付板から切り起こされた第一舌片と、前記中心線を跨ぐように延設され、当該中心線上またはその近傍位置において前記回転センサーが取り付けられる第二舌片とからなり、
前記回転センサーは、発光部と受光部とを備えた光センサーにより構成され、前記回転リールには、前記発光部と受光部との間の光路を遮断するための遮光片が設けられていることを特徴とする遊技機の回転リール装置。
【請求項２】
請求項１に記載の回転リール装置を備えた遊技機であって、
前記回転リールの停止を指示する停止指示手段と、
その停止指示手段の停止指示に基づき、回転中の前記回転リールを、その回転方向における所定の態様で停止させる停止手段とを備えた遊技機。
【請求項３】
前記停止指示手段の停止指示に基づき、回転中の前記回転リールを、前記遮光片による前記光路の遮断解除から所定タイミングで停止させる停止手段を備えたことを特徴とする請求項２に記載の遊技機。
【発明の詳細な説明】
【０００１】
【発明の属する技術分野】
本発明は、略円筒状または多角柱状の回転リールの側面に複数の図柄を回転方向に配列形成してその一を選択的に所定の表示位置に表示させ、この表示された図柄により当選の有無を決定する遊技機、及びその遊技機に用いられる回転リール装置に関するものである。
【０００２】
【従来の技術】
従来、パチンコ遊技機やスロットマシンのような、図柄あわせにより当選を決定する遊技機における、図柄表示のための回転リール装置の構成としては、例えば、特許第２７２０１２１号公報に記載のものが知られている。この種の回転リール装置においては、ステッピングモータにより回転駆動される回転リールに、その原点を示す原点表示片を設け、この原点表示片がフォトセンサーの光路を遮断することにより、回転リールの一回転を検出するように構成されている。そして、メイン制御回路によって特定の図柄を表示すべき旨が決定された場合、前記ステッピングモータは、フォトセンサーにより原点検出されてから所定パルス後に停止するよう制御される。ここで、フォトセンサーは、ステッピングモータが取り付けられるモータ取付板の上に設置されたセンサーホルダの上面に配置される。
【０００３】
【発明が解決しようとする課題】
しかしながら、上述のような特許第２７２０１２１号公報に記載の従来技術においては、モータ取付板の上にセンサーホルダをねじ止めで設置し、その上でさらにセンサーホルダ上にセンサーを設置するという工程が必要であったので、部品点数及び工数が増え、装置コストが上がるという問題が生じた。また、フォトセンサーの位置精度が、モータ取付板とセンサーホルダとの取付精度と、センサーホルダとフォトセンサーとの取付精度の２つに依存するため、フォトセンサーの位置精度を高めることが難しく、回転リールの回転方向にフォトセンサーの位置ずれが生じると、図柄表示にずれが生じるという問題が生じた。
【０００４】
本発明は、かかる問題点を解決するためになされたものであり、製造コストが低減でき、かつ図柄ずれが発生しない遊技機の回転リール装置、及び遊技機を提供することを目的としている。
【０００５】
【課題を解決するための手段】
この目的を達成するために、請求項１に記載の遊技機の回転リール装置は、回転リールと、その回転リールを回転させるモータと、そのモータを取り付けるために、前記回転リールの回転平面と略平行に配置されたモータ取付板と、前記回転リールの回転状態を検出するための回転センサーと、その回転センサーを取り付けるためのセンサー取付部とを備えた遊技機の回転リール装置であって、前記センサー取付部は、前記回転リールの回転平面と交差する方向に前記モータ取付板から切り起こされた舌片から構成され、前記舌片は、前記モータ取付板から、前記回転リールの回転平面と平行で且つその回転中心を通る中心線に沿って、前記中心線を跨ぎ且つ当該中心線に沿った片持ち梁状に切り出され、前記舌片は、その固定端において、前記中心線と直交する折り曲げ線に沿って折り曲げられるように前記モータ取付板から切り起こされた第一舌片と、前記中心線を跨ぐように延設され、当該中心線上またはその近傍位置において前記回転センサーが取り付けられる第二舌片とからなり、前記回転センサーは、発光部と受光部とを備えた光センサーにより構成され、前記回転リールには、前記発光部と受光部との間の光路を遮断するための遮光片が設けられているものである。
【００１２】
請求項２に記載の発明は、請求項１に記載の回転リール装置を備えた遊技機であって、前記回転リールの停止を指示する停止指示手段と、その停止指示手段の停止指示に基づき、回転中の前記回転リールを、その回転方向における所定の態様で停止させる停止手段とを備えている。
【００１３】
請求項２に記載の発明では、停止指示手段は、例えば、遊戯者の適宜操作や、遊技機全体の制御を行う制御回路等で生成された所定の信号に基づいて、回転リールの回転停止を指示する。停止手段は、前記停止指示手段による停止指示に基づき、回転中の回転リールを、回転リール上の所定の図柄が遊技機における所定位置に表示されるように、その回転方向における所定の態様で停止させる。
【００１４】
請求項３に記載の遊技機は、前記停止指示手段の停止指示に基づき、回転中の前記回転リールを、前記遮光片による前記光路の遮断解除から所定タイミングで停止させる停止手段とを備えている。
【００１５】
また、請求項３に記載の遊技機では、前記停止指示手段は、回転中の回転リールの停止を指示し、停止手段は、決定手段の図柄決定作用に基づき、回転中の前記回転リールを、前記遮光片による前記光路の遮断解除から所定タイミングで停止させる。
【００１６】
【発明の実施の形態】
以下、本発明の実施の形態について、図面を参照しつつ説明する。
【００１７】
図１は、本発明を適用した実施例であるスロットマシンを正面からみた外観図である。また、図２は、その内部構成の概略を示す図である。
【００１８】
スロットマシン１００は、ボックス形状の本体フレーム１０２の前面に、各種の表示を行ったりスイッチを配置した前面パネル１０３を配置してなる。前記本体フレーム１０２の中空内部には、その上段位置に、本発明の回転リール装置に相当するリールブロック１０４と、制御回路を含む回路基板１０５などが組み込まれ、下段位置には、多数枚のメダルを収容するメダル放出機１０６などが組み込まれている。
【００１９】
リールブロック１０４の詳細な構成については後述するが、このリールブロック１０４には、周面に図柄を有する３つのリール１３１（左リール１３１ａ、中リール１３１ｂ、右リール１３１ｃ）が備えられている。そして、リールブロック１０４は、本体フレーム１０２に備えられ、その幅方向に掛け渡されるように配置された搭載板１５０の上に搭載される。
【００２０】
前面パネル１０３には、左リール１３１ａ、中リール１３１ｂ、右リール１３１ｃの連続する３つ図柄を外部に表示するためのリール窓１１０と、各リール１３１の回転を開始させるためのレバーもしくはスイッチであるスターター１１２と、メダル投入口１１４と、メダル払出口１１６と、メダル受け皿１１８と、遊戯者が左リール１３１ａ、中リール１３１ｂ、および右リール１３１ｃを停止させるためのストップボタン１２１、１２２、１２３とが備えられている。なお、各リール１３１の停止は、これらのストップボタン１２１〜１２３の操作に基づく手動停止の場合の他、図示しない切換スイッチにより、自動停止（スターター１１２の操作に基づき、制御回路によって、乱数などにより、リール窓１１０に表示すべき図柄を決定し、自動的に各リール１３１を順次停止させるモード）に切り換えられるように構成してもよい。
【００２１】
一般には、リール窓１１０はガラス等の透明部材が用いられており、図示の如く、横及び斜めに入賞ラインが表示されている。遊戯者は、まずメダルを１枚ないし複数枚メダルを投入口１１４に投入した後に、スターター１１２を操作することで、全リールの回転を開始させる。次に、ストップボタン１２１〜１２３を押下することで、各リール１３１の回転を任意の順序で停止させていく。
【００２２】
ゲームは、メダルの投入枚数に従い直線上（例えば、メダル１枚投入時は水平な入賞ライン３本のうちの真ん中１本、メダル２枚投入時は水平な入賞ライン３本、メダル３枚投入時は水平な入賞ライン３本と斜め方向の入賞ライン２本の合計５本の直線上）に特定の図柄が揃うと、「役」や「大当たり」（ボーナスゲームやビッグ・ボーナスゲーム）となり、それに応じたゲームの開始になったり、所定の枚数のメダルをメダル払い出し口１１６からメダル受け皿口１１８へ排出する。なお、メダルの排出に代わって、スロットマシンをクレジット処理の状態にしておくと、メダルの払い出しは所定度数（例えば５０度数）に達するか、または前面パネル１０３上の終了ボタンが操作されるまでなされず、前面パネル上のクレジット表示器に現在のクレジット度数（メダル枚数に相当）が表示される。
【００２３】
次に、図３〜図５を用いて、本発明の回転リール装置に相当するリールブロック１０４の構成について詳細に説明する。
【００２４】
図３は、前記リールブロック１０４の外観を正面視した概略構成図であり、説明の便宜のため、その一部を省略したり切り欠いて図示している。
【００２５】
リールブロック１０４は、リール１３１と、そのリール１３１を回転させるためのモータ１３３と、そのモータを取り付けるために、リール１３１の回転平面と略平行に配置されたモータ取付板１３５と、リール１３１の回転状態を検出するためのセンサー１３７とを、各３組備えている。そして、３組のモータ取付板１３５は、それぞれ、リールブロック１０４の筐体をなすフレーム１４０に装着される。また、フレーム１４０の底部における両端には、前記本体フレーム１０２に対してリールブロック１０４を装着するために利用される耳部１４２が形成されている。
【００２６】
リール１３１は、肉抜きを施した薄肉円筒形状のリールドラム１３１ａと、そのリールドラム１３１ａの上面に対して円筒形状の内側に向けて落ち込むように段差を付けられたフランジ部１３１ｂと、そのフランジ部１３１ｂから放射状に伸びてリールドラム１３１ａに接続するスポーク１３１ｃとから構成され、これらは合成樹脂の射出成形により一体に形成される。リールドラム１３１ａの外周面には、所定間隔で図柄が表示された図示しないリールテープがそれぞれ巻き付けられる。
【００２７】
図４は、モータ取付板１３５の外観図であり、（ａ）は正面図、（ｂ）は側面図である。モータ取付板１３５は、１枚の金属板にプレス加工等の板金加工を施すことにより形成される。そして、モータ取付板１３５には、プレス加工等により略短冊状に切り出され、且つリール１３１の回転中心線Ｍ（リール１３１の回転平面と平行な直線であって、リール１３１の回転中心を通るもの）に沿って折り曲げ加工により切り起こされた舌片からなるセンサー取付部１４４が形成されている。
【００２８】
センサー取付部１４４は、モータ取付板１３５から回転中心線Ｍに沿って切り起こされた第一舌片１４４ａと、リールの回転平面と略平行な平面状に形成され且つ回転中心線Ｍに沿って延設された第二舌片１４４ｂとからなる。そして、この第二舌片１４４ｂには、センサー１３７を取り付けるための取付孔１４４ｃが形成されている。第二舌片１４４ｂは、少なくとも一部が回転中心線Ｍに跨っており、センサー取付孔１４４ｃは、図５に示す如くセンサー１３７が回転中心線Ｍに跨って設置されるように形成される。そして、第一舌片１４４ａは、第二舌片１４４ｂが跨ぐ回転中心線Ｍと垂直な折り曲げ線で曲げ加工することにより、当該回転中心線Ｍに沿って切り起こされている。なお、第二舌片１４４ｂには、センサー１３７を取り付けるためセンサー取付孔１４４ｃを一対設けたが、これに代えて、第二舌片１４４ｂの両サイドに切り欠きを形成してもよい。
【００２９】
図５は、モータ取付板１３５に対して、リール１３１やモータ１３３、センサー１３７を組み付けた様子を示す概略図である。
【００３０】
各リール１３１は、フランジ部１３１ｂに固定されたハブ１３２を介してモータ１３３の回転軸に固定されることにより、回動可能に軸支されている。
【００３１】
センサー１３７は、回転中心線Ｍの上、またはその近傍に設置される。より好ましくは、センサー１３７は、回転中心線Ｍに対して対称となるように、回転中心線Ｍに跨って配置される。なお、センサー１３７としては、例えば、互いに対面した発光部と受光部とを略Ｕ字型の筐体に備え、その光路の遮断を検知する光路遮断型の光センサーや、発光部からの照射光を反射面において反射させ受光部で受光する反射型の光センサーや、磁気センサー等、回転体の回転状態を検知可能な任意のセンサーを用いることができるが、光センサーを用いた場合には、その光軸と回転中心軸Ｍとを平行にする。また、センサー１３７の底部には、前記センサー取付孔１４４ｃに嵌合するように嵌合部（図示せず）が設けられている。
【００３２】
リール１３１には、センサー１３７によるリール１３１の回転状態検知のために用いられる検出子１４６が設置されている。検出子１４６としては、センサーの種類により各種のものが用いられる。例えば、図３や図５に示したような、発光部１３７ａと受光部１３７ｂとからなる光路遮断型の光センサーを用いた場合には、図示の検出子１４６のような略Ｌ字型の棒状部材や、光透過スリットを設けた薄肉円筒部材を用いることができる。この場合、センサー１３７の光路遮断のための部材である検出子１４６の寸法が、リール１３１の高さ方向（リール１３１の回転中心軸と平行な方向）について長くなりすぎないように、検出子１４６は図示の如くフランジ部１３１ｂに取り付けられる。
【００３３】
ここで、図４に示したモータ取付板１３５においては、真っ直ぐな略短冊状の舌片を切り起こすことにより、第二舌片１４４ｂのみならず、第一舌片１４４ａまでも、回転中心線Ｍを跨ぐように構成されているが、本発明はこれに限定されるものではない。要するに、少なくともセンサー１３７が装着される第二舌片１４４ｂについては回転中心線Ｍを跨いでおり、これを支持する第一舌片１４４ａについては、この回転中心線Ｍと垂直の折り曲げ線で回転中心線Ｍに沿って切り起こされていればよい。すなわち、切り起こし加工が当該回転中心線Ｍに沿った方向でなされるため、切り起こし加工の加工精度に多少の誤差が生じても、センサー位置はリール１３１の回転中心線Ｍ上でリール１３１の回転半径方向に誤差が生ずるにすぎず、リール１３１の回転方向については切り起こし加工の誤差による影響なく常に一定の位置で光路遮断を検出できるので、リール１３１の回転停止制御にあたって停止位置ずれが生じることがない。よって、厳密な加工精度を要求されることなく、前面パネル１０３のリール窓１１０における各リール１３１の図柄表示のずれを有効に防止することができる。
【００３４】
図６は、リールブロック１０４を本体フレーム１０２に搭載するための搭載板１５０の概略構成を示す図であり、（ａ）は平面図、（ｂ）はスロットマシン１００の手前側から見た正面図である。搭載板１５０は、鋼板にプレスや曲げ等の板金加工を施すことにより形成され、スロットマシン１００の設置面（地平面）と略平行な平面を構成する平板部１５１と、この平板部１５１から切り起こされたフック１５２とからなる。フック１５２は、スロットマシン１００の幅方向に一対設けられ、リールブロック１０４の耳部１４２と嵌め合うことにより、平板部１５１上にリールブロック１０４を固定する。
【００３５】
図７は、前記搭載板１５０の側方視断面図であり、（ｂ）はフック１５２付近を特に拡大したものである。フック１５２は、板バネ部１５４と、突起部１５６と、導入部１５８とから構成される。板バネ部１５４は、平板部１５１から切り起こされ、平板部１５１の形成する平面に対してやや下向きに延設されており、その先の自由端付近において、プレス加工により下向きに凸設された突起部１５６が形成されるとともに、その突起部１５６の先は、平板部１５１の形成する平面に対してやや上向きに折り曲げられることにより、導入部１５８が形成されている。そして、図８に示すように、リールブロック１０４は、搭載板１５０上において、スロットマシン１００の手前側から奥側に向けて送り込まれ、リールブロック１０４の耳部１４２は、搭載板１５０の平板部１５１とフック１５２との間の空間に挿入される。このとき、図９に示すように、耳部１４２が導入部１５８に当接することによって、やや下向きに延設された板バネ部１５４が上側に押し広げられ、さらに奥まで送り込まれると、耳部１４２に設けられた固定孔１４２ｂに対して突起部１５６がはまり込む。そして、押し広げられた板バネ部１５４の耳部１４２に対する下方向の付勢力と、固定孔１４２ｂと突起部１５６との嵌合とによって、リールブロック１０４は、搭載板１５０上に簡易且つ確実に固定される。そして、リールブロック１０４を搭載板１５０から取り外す際には、導入部１５８をドライバー等で押し広げつつリールブロック１０４を引き出すことにより、極めて簡易にリールブロック１０４を取り外すことができるので、リールブロック１０４の故障の場合の部品や基板の交換が極めて容易に行える。
【００３６】
次に、図１０及び図１１を用いて、本実施の形態のスロットマシン１００の具体的な動作説明を行う。
【００３７】
図１０は、本スロットマシン１００の制御回路構成の概略を示す図である。
【００３８】
回路基板１０５には、少なくとも、ＣＰＵ２２と、リード・オンリー・メモリ（ＲＯＭ）２８と、ランダム・アクセス・メモリ（ＲＡＭ）２９と、メダルセンサー２３や停止スイッチ２４その他の各種スイッチに接続される入力インターフェース２７と、モータ制御部３０とホッパー制御部３１とに接続された入出力インターフェース３２と、ランプ制御部３３に接続された出力インターフェース３４と、スピーカ３５に接続されたサウンド出力部３６とが配設されている。
【００３９】
スロットマシン１００の全体の制御回路を構成するマイクロプロセッサであるＣＰＵ２２は、バス５０を介して、周辺部との制御信号やデータの受け渡しを行う。メダルセンサー２３は、メダル投入口１１４より投入された遊戯メダルを感知する。停止スイッチ２４は、リール１３１を停止させるための停止ボタン１２１、１２２、１２３が押されたときに作動する。スタートセンサー２５は、スターター１１２が操作されたことを感知する。ベットスイッチ２６は、前面パネル１０３における遊戯者の操作により、クレジット処理時におけるベット枚数を指定するためのスイッチである。そして、これらのセンサー及び各スイッチは、入力インターフェース２７及びバス５０を介してＣＰＵ２２と接続されている。
【００４０】
ＲＯＭ２８は、本スロットマシン１００の制御を行うためのプログラムや、前記リール１３１の停止制御を行うための制御データテーブル等を含んでいる。ＲＡＭ２９は、ＲＯＭ２８に格納された各種プログラムのワークエリア等として機能する。これらＲＯＭ２８及びＲＡＭ２９は、バス５０を介してＣＰＵ２２に接続される。
【００４１】
モータ制御部３０は、リール１３１の回転の制御を行う。ホッパー制御部３１は、メダルの払い出しの制御を行う。そして、モータ制御部３０及びホッパー制御部３１は、入出力インターフェース３２を経てバス５０を介してＣＰＵ２２へ接続されている。
【００４２】
ランプ制御部３３は、種々のランプを遊技の状態に応じて点灯／消灯させるための制御部であり、ＣＰＵ２２よりバス５０と出力インターフェース３４を介して、ＣＰＵ２２の制御に基づき、点灯／消灯が制御される。スピーカ３５は、サウンド出力部３６を介したＣＰＵ２２の制御に基づき、遊技の状態に応じて各種の音声を出力する。
【００４３】
自動／手動停止切換スイッチ４０は、前面パネル１０３の表面もしくは裏面、または回路基板１０５上もしくは本体フレーム１０２内に設けられ、入力インターフェース２７を介してＣＰＵ２２に接続されており、リール１３１の停止を、遊戯者のストップボタン１２１〜１２３の操作に基づき手動停止させるか自動停止させるかのいずれのモードに設定するために操作される。
【００４４】
次に、本発明の実施の形態における制御について、図１１のフローチャートを用いて各ステップに従い詳細に説明する。
【００４５】
まず、自動／手動停止切換スイッチ４０によってリール１３１の停止モードが手動停止モードまたは自動停止モードのいずれに設定されているかを、前面パネル１０３上においてランプ等の表示手段により表示する（ステップ４０：以下、ステップをＳと略す）。
【００４６】
次に、遊戯者が１ないし数枚のメダルをメダル投入口１１４より投入（ベット）する（Ｓ４１）。この時に投入するメダルの枚数に対応して、入賞ラインの数が決定される。
【００４７】
そして、遊戯者がスターター１１２を操作することにより、各リール１３１（左リール１３１ａ、中リール１３１ｂ、右リール１３１ｃ）の回転を始める（Ｓ４２）。
【００４８】
続いて、リール１３１の停止モードが自動停止モードか手動停止モードかのいずれに設定されているかを判断する（Ｓ４３）。その結果、自動停止モードでない場合（手動停止モード：Ｓ４３＝ＮＯ）は、Ｓ４４〜Ｓ４６を実行することになり、自動停止モード（Ｓ４３＝ＹＥＳ）の場合は、Ｓ４９へ進む。
【００４９】
手動停止モードの場合（Ｓ４３＝ＮＯ）、遊戯者がストップボタン１２１、１２２、１２３を順不同に押すことにより、対応する左リール１３１ａ、中リール１３１ｂ、右リール１３１ｃを停止させる操作を行うと、それに応じて各リールが停止する（Ｓ４４、Ｓ４５、Ｓ４６）。
【００５０】
ここで、ＣＰＵ２２は、左リール１３１ａ、中リール１３１ｂ、右リール１３１ｃにそれぞれ配設されている検出子１４６が各センサー１３７の光路を遮断した後遮断を解除することにより各センサー１３７において発生する検出パルスのタイミングを捉えることにより、各リールの原点を把握している。そして、各リールの周面に均等間隔で配置された図柄を、リール窓１１０における各入賞ラインに沿って正しく配列させるためには、各図柄の略中心が中央の水平入賞ラインに一致するように各リールを停止させる必要がある。したがって、各リール１３１ａ〜１３１ｃを停止させるために遊戯者がストップボタン１２１〜１２３を操作しても、その際の各リールにおける図柄の略中心位置が水平入賞ラインからずれている場合には直ちに各リールを停止させることはできず、ＣＰＵ２２は、モータ制御部３０を介して、ストップボタン１２１〜１２３の操作後最初に或る図柄の略中心が中央の水平入賞ラインに一致するまでモータ１３３を回転させた後に当該モータ１３３を停止させるように制御する。例えば、モータ１３３がステッピングモータである場合には、ＲＡＭ２９またはモータ制御部３０に備えられたメモリに、モータの駆動パルスの計数値を保持しておき、センサー１３７により原点が検知された場合にこの計数値をリセットするようにする。すると、図柄の略中心が中央の水平入賞ラインに一致する場合の計数値（これを基準値と称する）が０から等間隔で定められることになる。したがって、ストップボタン１２１〜１２３が操作されたことが検知された場合、パルスの計数値が次の基準値になるまでモータ１３３を駆動した後にモータ１３３を停止するように制御する。
【００５１】
このモータ停止制御の際に、センサー１３７の原点検出位置がリール１３１の回転接線方向に変動すると、センサー１３７の光路を検出子１４６が遮断する位置、すなわち原点検出位置がリール１３１の回転方向にずれるので、図柄の停止位置が入賞ラインからずれることとなり、図柄が各入賞ラインに対して正しく配列しなくなってしまい、遊戯者が当選の有無につき視覚上判断しにくくなるという不具合が生じてしまう。
【００５２】
しかしながら、本実施の形態のスロットマシン１００によれば、左リール１３１ａ、中リール１３１ｂ、右リール１３１ｃの停止制御を行うために各リールに対してそれぞれ配置された各センサー１３７を取り付けるセンサー取付部１４４が、回転中心線Ｍに沿った方向で切り起こし加工により形成されるため、それぞれの切り起こし加工の加工精度（例えば、曲げ加工の曲げ角度）に多少の誤差が生じても、各センサー１３７の位置はリール１３１の回転中心線Ｍに沿った半径方向に誤差が生ずるにすぎず、リール１３１の回転方向については切り起こし加工の誤差による影響なく常に一定の位置で原点位置検出ができるので、リール１３１の回転停止制御にあたって停止位置ずれが生じることがない。したがって、本実施の形態のスロットマシン１００によれば、左リール１３１ａ、中リール１３１ｂ、右リール１３１ｃは、図柄ずれを起こすことなく、各図柄を各入賞ラインに正しく配列させることとなり、遊戯者に対して当選の有無につき明確に表示することができる。
【００５３】
そして、全てのリールが停止したら（Ｓ４７＝ＹＥＳ）、その時の入賞ライン上の図柄の組み合わせに従って、メダルの払い出しの有無が判定され、入賞した場合には、メダルの払い出し口１１６より、メダルの受け皿１１８へメダルが払い出され、その回のゲームが終了する（Ｓ４８）。
【００５４】
自動停止モードの場合（Ｓ４３＝ＹＥＳ）、Ｓ４９へ進み、予め遊戯台に設定してある所定の時間（通常のゲームを行う時に相当する時間）の経過を待ち、次のＳ５０へ進む。
【００５５】
Ｓ５０では、全リールを自動的に停止（ストップ）させ、Ｓ４７へ進み、全リールの停止を確認の上、Ｓ４８において入賞の有無に従って、メダルの払い出しを行う。
【００５６】
この自動停止モードの場合には、ＣＰＵ２２において乱数を発生させることにより、左リール１３１ａ、中リール１３１ｂ、及び右リール１３１ｃの停止位置が決定される。この場合の各リールの停止制御は、手動停止モードにて説明したものと同様である。
【００５７】
以上、本発明の形態ではスロットマシンを実施例として説明したが、パチンコ等の打玉遊戯台に回転リールを設ける場合（例えば所定の入賞口に打球が入る、或いは通過した場合に回転する等）にも適合出来るので、本実施例によって本願発明が限定されるものではない。
【００５８】
【発明の効果】
以上に説明したことから明らかなように、本発明の請求項１に記載の遊技機の回転リール装置によれば、回転センサーを取り付けるためのセンサー取付部を、モータ取付板から回転リールの回転平面と交差する方向に切り起こすという、極めて簡易な工程で且つ位置精度よく形成できるとともに、回転センサーをモータ取付板に取り付けるために、台座（ホルダ）など特別な部品を用いる必要がない。したがって、回転センサーの取付精度を向上して図柄ずれを抑えるとともに、製造コストが低減できるという効果がある。
【００５９】
請求項１に記載の遊技機の回転リール装置によれば、さらに、前記舌片がモータ取付板から片持ち梁状に切り出されるので、プレス加工等の簡易な板金加工で低コストにモータ取付板を形成することができるという効果がある。また、舌片の切り起こし加工が、回転リールの回転平面と平行で且つその回転中心を通る中心線に沿った方向でなされるため、切り起こし加工の加工精度に多少の誤差が生じても、回転センサーの設置位置は回転リールの前記中心線上でその回転半径方向に誤差が生ずるにすぎず、回転リールの回転方向については切り起こし加工の誤差による影響なく常に一定の位置で回転リールの回転状態検出ができるので、回転リールの回転停止制御にあたって停止位置ずれが生じることがない。よって、厳密な加工精度を要求することなく、各回転リールの停止状態における図柄表示にずれが生じることを有効に防止することができるという極めて優れた効果がある。
【００６０】
請求項１に記載の遊技機の回転リール装置によれば、さらに、少なくとも回転センサーが取り付けられる第二舌片が前記中心軸を跨ぐように舌片が形成されるとともに、この第二舌片を支持する第一舌片は、前記中心線と直交する折り曲げ線に沿って折り曲げられるようにモータ取付板から切り起こされているので、舌片の形状の設計自由度を確保しつつ、各回転リールの停止図柄表示にずれが生じることを有効に防止することができるという極めて優れた効果がある。
【００６１】
請求項１に記載の遊技機の回転リール装置によれば、回転センサーは発光部と受光部とを備え、前記回転リールには、前記発光部と受光部との間の光路を遮断するための遮光片が設けられているものであるから、舌片の切り起こし方向と光センサーの光路とを平行にすることにより、切り起こし加工精度とセンサーの取り付け位置精度を厳密に要求することなく図柄表示ずれを効果的に防止することができるという極めて優れた効果を奏する。
【００６２】
請求項２に記載の遊技機によれば、回転リールの周面に所定間隔で配置された図柄が、遊技機における所定位置に正しく表示されるように、回転リールをその回転方向における所定の態様で正確に停止させるよう制御することができるという効果がある。
【００６３】
請求項３に記載の遊技機によれば、回転中の回転リールを、遮光片による回転センサーの光路の遮断解除から所定タイミングで停止させるように制御することにより、回転リールの周面に所定間隔で配置された図柄が、遊技機における所定位置に正しく表示されるように、回転リールをその回転方向における所定の態様で正確に停止させるよう制御することができるという効果がある。
【図面の簡単な説明】
【図１】本発明を適用した実施例のスロットマシンを正面からみた外観図である。
【図２】実施例のスロットマシンの内部構成の概略を示す図である。
【図３】実施例のリールブロックの外観を正面視した一部切り欠き概略構成図である。
【図４】モータ取付板の外観図である。
【図５】モータ取付板に対して、リールやモータ、センサーを組み付けた様子を示す概略構成図である。
【図６】搭載板の概略構成を示す図である。
【図７】搭載板の側方視断面図である。
【図８】搭載板にリールブロックを搭載した様子を示す図である。
【図９】図９における要部を拡大した側方視断面図である。
【図１０】実施例のスロットマシンの電気回路構成の概略を示す図である。
【図１１】ゲームの流れを示すフローチャートである。
【符号の説明】
１００  スロットマシン
１０４  リールブロック
１２１，１２２，１２３  ストップボタン
１３１  リール
１３３  モータ
１３５  モータ取付板
１３７  センサー
１４４  センサー取付部
１４４ａ  第一舌片
１４４ｂ  第二舌片
１４６  検出子
【図１】
0004723730.tif 000002
【図２】
0004723730.tif 000003
【図３】
0004723730.tif 000004
【図４】
0004723730.tif 000005
【図５】
0004723730.tif 000006
【図６】
0004723730.tif 000007
【図７】
0004723730.tif 000008
【図８】
0004723730.tif 000009
【図９】
0004723730.tif 000010
【図１０】
0004723730.tif 000011
【図１１】
0004723730.tif 000012